(57)【特許請求の範囲】
【請求項１】
走査線と映像信号線とで囲まれた領域に画素と、
平面視において、長軸を有する第１のスペーサと、が形成されたＴＦＴ基板と、
平面視において、長軸を有する第２のスペーサが形成され、前記ＴＦＴ基板と対向する対向基板と、
前記ＴＦＴ基板と前記対向基板との間に液晶が挟持された液晶表示装置であって、
前記第１のスペーサは、前記長軸方向に幅が一定である第１の中央部と、前記中央部から前記長軸方向の端部に向かって幅が小さくなる第１の傾斜部と、前記中央部から前記長軸方向の端部に向かって幅が小さくなる第２の傾斜部と、を有し、
前記第２のスペーサは、前記長軸方向に幅が一定である第２の中央部と、前記中央部から前記長軸方向の端部に向かって幅が小さくなる第３の傾斜部と、前記中央部から前記長軸方向の端部に向かって幅が小さくなる第４の傾斜部と、を有し、
前記第１の中央部及び前記第２の中央部は、断面視において、高さが一定であり、
前記第１の傾斜部及び前記第２の傾斜部は、断面視において、前記第１の中央部から前記長軸方向の端部に向かって、高さが小さくなり、
前記第３の傾斜部及び第４の傾斜部は、断面視において、前記第１の中央部から前記長軸方向の端部に向かって、高さが小さくなり、
前記第１のスペーサの前記長軸と前記第２のスペーサの前記長軸とは９０度の角度をなしており、
前記第１のスペーサと前記第２のスペーサによって、前記ＴＦＴ基板と前記対向基板の間隔が規定されており、
前記第１の傾斜部及び前記第２の傾斜部の前記長軸方向の長さは、前記第１の中央部の前記長軸方向の長さよりも長く、
前記第３の傾斜部及び前記第４の傾斜部の前記長軸方向の長さは、前記第２の中央部の前記長軸方向の長さよりも長いことを特徴とする液晶表示装置。
【請求項２】
前記ＴＦＴ基板と前記対向基板とが位置ずれしていない場合には、前記第１のスペーサの前記中央部と前記第２のスペーサの前記中央部とが対向していることを特徴とする請求項１に記載の液晶表示装置。
【請求項３】
前記第１のスペーサは前記走査線と前記映像信号線の交差部に形成され、前記第１のスペーサの長軸は前記走査線の延在方向であることを特徴とする請求項１に記載の液晶表示装置。
【請求項４】
前記第１のスペーサの前記中央部の高さと前記第２のスペーサの前記中央部の高さは同じであることを特徴とする請求項１に記載の液晶表示装置。
【請求項５】
前記第２のスペーサの前記中央部の高さは前記第１のスペーサの前記中央部の高さよりも大きいことを特徴とする請求項１に記載の液晶表示装置。
【請求項６】
前記第１のスペーサを平面でみた場合、前記中央部の幅をｄ１とし、前記長軸方向の前記第１の傾斜部および前記第２の傾斜部の前記端部の幅をｄ２とした場合、ｄ１／３≦ｄ２＜ｄ１であり、
前記第２のスペーサを平面でみた場合、前記中央部の幅をｄ３とし、前記長軸方向の前記第３の傾斜部および前記第４の傾斜部の前記端部の幅をｄ４とした場合、ｄ３／３≦ｄ４＜ｄ３であることを特徴とする請求項１に記載の液晶表示装置。
【請求項７】
前記ｄ１と前記ｄ３は等しく、前記ｄ２と前記ｄ４は等しいことを特徴とする請求項６に記載の液晶表示装置。
【請求項８】
前記第１のスペーサを断面でみた場合、前記中央部の高さをｈ１とし、前記長軸方向の前記第１の傾斜部および前記第２の傾斜部の前記端部の高さをｈ２とした場合、ｈ１／３≦ｈ２＜ｈ１であり、
前記第２のスペーサを断面でみた場合、前記中央部の幅をｈ３とし、前記長軸方向の前記第３の傾斜部および前記第４の傾斜部の前記端部の幅をｈ４とした場合、ｈ３／３≦ｈ４＜ｈ３であることを特徴とする請求項１に記載の液晶表示装置。
【請求項９】
前記ｈ１と前記ｈ３は等しく、前記ｈ２と前記ｈ４は等しいことを特徴とする請求項８に記載の液晶表示装置。
【発明の詳細な説明】
【技術分野】
【０００１】
本発明は，液晶表示装置に係り，特に基板間のギャップの変動、基板間の主面方向のずれを対策するとともに、スペーサによる配向膜の削れを対策した液晶表示装置に関する。
【背景技術】
【０００２】
液晶表示装置では画素電極および薄膜トランジスタ（ＴＦＴ）等がマトリクス状に形成されたＴＦＴ基板と、ＴＦＴ基板に対向して、対向基板が配置され、ＴＦＴ基板と対向基板の間に液晶が挟持されている。そして液晶分子による光の透過率を画素毎に制御することによって画像を形成している。ＴＦＴ基板と対向基板において、液晶と接する面には、液晶を初期配向させるための配向膜が形成されている。
【０００３】
ＴＦＴ基板と対向基板との距離（以後、ギャップともいう）、すなわち、液晶の層厚の変動を抑えるために、対向基板に柱状スペーサを形成する方法が用いられている。一方、液晶表示装置が完成したあと、動作中に対向基板に外圧が加わると、ＴＦＴ基板と対向基板が基板主面方向に互いにずれるという現象が生ずる（以後単にＴＦＴ基板と対向基板のずれとも言う）。対向基板にのみ柱状スペーサを形成してギャップを制御すると、柱状スペーサの先端がＴＦＴ基板に形成された配向膜を削るという問題を生ずる。
【０００４】
そこで、基板間のギャップの制御のために、対向基板に柱状スペーサを形成し、ＴＦＴ基板側に柱状スペーサの受け台座（以後台座という）を形成する構成が開発されている。台座の上には、配向膜が薄くしか形成されないので、柱状スペーサによる配向膜削れの影響が小さい。この場合の柱状スペーサは、平面が円形あるいは四角形で、断面が台形であるスペーサが使用され、台座の平面形状も柱状スペーサの平面形状に対応したような形状である。
【０００５】
しかし、ＴＦＴ基板と対向基板のズレが大きいと柱状スペーサが台座から下落し、表示領域の配向膜を削ったり、液晶表示装置への外力が無くなっても柱状スペーサが台座につかえて、台座の元の位置へ戻らなくなり、ＴＦＴ基板と対向基板のずれが恒久化する問題が生ずる。
【０００６】
特許文献１には、このような、柱状スペーサが台座から下落する現象を抑えるために、対向基板側とＴＦＴ基板側に、平面が長方形で、長軸が互いに９０度のスペーサを配置する構成が記載されている。
【先行技術文献】
【特許文献】
【０００７】
【特許文献１】特開２０１３−１８６１４８号公報
【発明の概要】
【発明が解決しようとする課題】
【０００８】
液晶表示装置に外力が加わって、ＴＦＴ基板と対向基板とがずれて、その結果、柱状スペーサの位置が当初の位置からずれる。しかし、外力が取り去られると上下の基板は、ずれを解消しようとする復元力が働く。つまり、基板とともにずれた柱状スペーサには元の位置に戻ろうとする復元力が働く。
【０００９】
しかし、一旦ずれた柱状スペーサがもとに戻ろうとすると、柱状スペーサの対向面との摩擦のために、元に戻らず、ある程度のずれが残ってしまう。以後これを残留ずれという。この残留ずれが大きいと隣接する画素同士で混色を生ずる。ＴＦＴ基板の特定の画素は、対向基板の特定の色のカラーフィルタと対応しているが、ＴＦＴ基板と対向基板がずれると、ＴＦＴ基板の特定の画素を通過する光が、本来対応するカラーフィルタのみでなく、一部が隣接するカラーフィルタを通過することによって、色純度を劣化させる現象が生ずる。
【００１０】
残留ずれが大きいと、液晶表示装置に対する外力が取り去られても、混色が残ることになる。本発明の課題は、この残留ずれを小さくし、混色を防止することである。
【課題を解決するための手段】
【００１１】
本発明は上記課題を克服するものであり、代表的な手段は次のとおりである。
【００１２】
（１）走査線と映像信号線とで囲まれた領域に画素が形成されたＴＦＴ基板と対向基板との間に液晶が挟持された液晶表示装置であって、前記ＴＦＴ基板には、平面で見て、長軸を有し、前記長軸方向に幅が一定である中央部と、前記中央部から前記長軸方向の端部に向かって幅が小さくなる第１の傾斜部と、前記中央部から前記長軸方向の端部に向かって幅が小さくなる第２の傾斜部と、断面で見て、高さが一定である中央部と前記中央部から前記長軸方向の端部に向かって高さが小さくなる第１の傾斜部と前記中央部から高さが小さくなる第２の傾斜部を有する第１のスペーサが形成され、前記対向基板には、平面で見て、長軸を有し、前記長軸方向に幅が一定である中央部と、前記中央部から前記長軸方向の端部に向かって幅が小さくなる第３の傾斜部と、前記中央部から前記長軸方向の端部に向かって幅が小さくなる第４の傾斜部と、断面で見て、高さが一定である中央部と前記中央部から前記長軸方向の端部に向かって高さが小さくなる第３の傾斜部と前記中央部から高さが小さくなる第４の傾斜部を有する第２のスペーサが形成され、前記第１のスペーサの前記長軸と前記第２のスペーサの前記長軸とは９０度の角度をなしており、前記第１のスペーサと前記第２のスペーサによって、前記ＴＦＴ基板と前記対向基板の間隔が規定されていることを特徴とする液晶表示装置。
【００１３】
（２）前記ＴＦＴ基板と前記対向基板とが位置ずれしていない場合には、前記第１のスペーサの前記中央部と前記第２のスペーサの前記中央部とが対向していることを特徴とする（１）に記載の液晶表示装置。
【００１４】
（３）前記第１のスペーサは前記走査線と前記映像信号線の交差部に形成され、前記第１のスペーサの長軸は前記走査線の延在方向であることを特徴とする（１）に記載の液晶表示装置。
【００１５】
（４）前記第１のスペーサの前記中央部の高さと前記第２のスペーサの前記中央部の高さは同じであることを特徴とする（１）に記載の液晶表示装置。
【００１６】
（５）前記第２のスペーサの前記中央部の高さは前記第１のスペーサの前記中央部の高さよりも大きいことを特徴とする（１）に記載の液晶表示装置。
【００１７】
（６）前記第１のスペーサを平面でみた場合、前記中央部の幅をｄ１とし、前記長軸方向の前記第１の傾斜部および前記第２の傾斜部の前記端部の幅をｄ２とした場合、ｄ１／３≦ｄ２＜ｄ１であり、前記第２のスペーサを平面でみた場合、前記中央部の幅をｄ３とし、前記長軸方向の前記第３の傾斜部および前記第４の傾斜部の前記端部の幅をｄ４とした場合、ｄ３／３≦ｄ４＜ｄ３であることを特徴とする（１）に記載の液晶表示装置。
【００１８】
（７）前記ｄ１と前記ｄ３は等しく、前記ｄ２と前記ｄ４は等しいことを特徴とする（６）に記載の液晶表示装置。
【００１９】
（８）前記第１のスペーサを断面でみた場合、前記中央部の高さをｈ１とし、前記長軸方向の前記第１の傾斜部および前記第２の傾斜部の前記端部の高さをｈ２とした場合、ｈ１／３≦ｈ２＜ｈ１であり、前記第２のスペーサを断面でみた場合、前記中央部の幅をｈ３とし、前記長軸方向の前記第３の傾斜部および前記第４の傾斜部の前記端部の幅をｈ４とした場合、ｈ３／３≦ｈ４＜ｈ３であることを特徴とする請求項１に記載の液晶表示装置。
【００２０】
（９）前記ｈ１と前記ｈ３は等しく、前記ｈ２と前記ｈ４は等しいことを特徴とする（８）に記載の液晶表示装置。
【図面の簡単な説明】
【００２１】
【図１】本発明における、ＴＦＴ基板の平面図である。
【図２】本発明における、対向基板の平面図である。
【図３】本発明の液晶表示装置の断面図である。
【図４】本発明の液晶表示装置における上スペーサと下スペーサが重なった状態を示す平面図である。
【図５】本発明の液晶表示装置における上スペーサと下スペーサが重なった状態を示す側面図である。
【図６】本発明において、ＴＦＴ基板に対して対向基板がずれた場合の上スペーサと下スペーサの関係を示す平面図である。
【図７】本発明において、ＴＦＴ基板に対して対向基板がずれた場合の上スペーサと下スペーサの関係を示す側面図である。
【図８】従来例の液晶表示装置における上スペーサと下スペーサが重なった状態を示す平面図である。
【図９】従来例の液晶表示装置における上スペーサと下スペーサが重なった状態を示す側面図である。
【図１０】従来例において、ＴＦＴ基板に対して対向基板がずれた場合の上スペーサと下スペーサの関係を示す平面図である。
【図１１】従来例において、ＴＦＴ基板に対して対向基板がずれた場合の上スペーサと下スペーサの関係を示す側面図である。
【図１２】従来例における復元力とスペーサ間の摩擦力の関係を示すグラフである。
【図１３】本発明における復元力とスペーサ間の摩擦力の関係を示すグラフである。
【図１４】本発明のスペーサの寸法例を示す平面図および側面図である。
【発明を実施するための形態】
【００２２】
以下に実施例を用いて本発明を詳細に説明する。
【実施例１】
【００２３】
図１は本発明による液晶表示装置におけるＴＦＴ基板１００側の平面図である。図１において、横方向に走査線３０が延在し、所定のピッチで縦方向に配列している。また、縦方向に映像信号線４０が延在し、横方向に配列している。走査線３０と映像信号線４０に囲まれた領域に画素が形成されている。本実施例における液晶表示装置はいわゆるＩＰＳ方式の液晶表示装置である。本発明をＩＰＳ方式の液晶表示装置を例にとって説明するが、本発明は、ＩＰＳに限らず、ＴＮ方式あるいは、ＶＡ方式等の他の方式の液晶表示装置につても適用することができる。
【００２４】
図１において、画素の左下には、ＴＦＴが形成されている。ＴＦＴは、走査線３０から分岐したゲート電極１０１の上にゲート絶縁膜１０２を介して半導体層１０３が形成されている。半導体層１０３の上には、チャネル部を挟んで、映像信号線４０から分岐したドレイン電極１０８、および、ソース電極１０９が対向して配置している。映像信号線４０、ドレイン電極１０８、ソース電極１０９の上には、無機パッシベーション膜１０４が形成されている。無機パッシベーション膜１０４の上には、平面べたで、各画素共通にコモン電極１０５が形成されている。コモン電極１０５の上には層間絶縁膜１０６が形成され、その上に、スリット１０７１を有する画素電極１０７が形成されている。
【００２５】
画素電極１０７は無機パッシベーション膜１０４および層間絶縁膜１０６に形成されたスルーホール１１１を介してソース電極１０９と接続しており、ＴＦＴを介して映像信号を受ける。画素電極１０７に電圧が印加されると、下方のコモン電極１０５との間に液晶層３００を介し、画素電極１０７のスリット１０７１を通してコモン電極１０５に向かう電気力線が発生する。液晶層３００の液晶分子はこの電気力線によって回転し、液晶層３００を通過するバックライトからの光の量を制御する。
【００２６】
走査線３０と映像信号線４０の交差部分にスペーサが形成されている。以後このスペーサを下スペーサ１０という。下スペーサ１０の平面は横方向に長い異形８角形となっている。下スペーサは図３に示すように、中央の平坦部と両脇の傾斜部を有している。
【００２７】
図２は対向基板２００を液晶層３００側から見た平面図である。ＴＦＴ基板１００の走査線３０および映像信号線４０に対応した部分にブラックマトリクス２０２が形成されている。ブラックマトリクスに囲まれた領域にカラーフィルタ２０１が形成されている。図１の下スペーサ１０に対応した部分に上スペーサ２０が形成されている。上スペーサ２０の平面図は下スペーサ１０と同じ長軸を有する異形８角形であるが、長軸が縦方向である。
【００２８】
上スペーサ２０も中央の平坦部と両脇の傾斜部を有している。対向基板２００とＴＦＴ基板１００を組み合わせると上スペーサ２０と下スペーサ１０の平坦部が接触し、ＴＦＴ基板１００と対向基板２００の間隔を規定することになる。
【００２９】
図３はＴＦＴ基板１００と対向基板２００を組み合わせ、液晶を注入した状態を示す、図１のＡ−Ａに相当する断面図である。図３において、ＴＦＴ基板１００に走査線３０が延在し、その上にゲート絶縁膜１０２が存在している。走査線３０と交差して紙面垂直方向に映像信号線４０が延在している。映像信号線４０を覆ってＳｉＮ等で形成されたパッシベーション膜１０４が存在し、パッシベーション膜１０４の上を平面ベタでコモン電極１０５が形成されている。
【００３０】
コモン電極１０５の上にＳｉＮ等で形成された層間絶縁膜１０６が形成されており、その上に下スペーサ１０が形成されている。図３は走査線３０上であるので、画素電極１０７は存在していない。層間絶縁膜１０６を覆って配向膜１１０が形成されている。配向膜１１０は下スペーサ１０の上にも形成されるが、レベリングによって下スペーサ１０の上は非常に薄くなっているので、図３では、下スペーサ１０の上の配向膜は省略している。
【００３１】
図３において、液晶層３００をはさんで対向基板２００が配置している。対向基板２００には、カラーフィルタ２０１とブラックマトリクス２０２が形成されている。ブラックマトリクス２０２は走査線３０を覆う形で形成されるので、Ａ−Ａ断面ではカラーフィルタは存在していない。ブラックマトリクス２０１を覆ってオーバーコート膜２０３が形成されている。オーバーコート膜２０３の上には上スペーサ２０が形成されている。図２に示すように、上スペーサ２０のＡ−Ａ断面は方形である。オーバーコート膜２０３を覆って配向膜１１０が形成されている。配向膜１１０は上スペーサ２０にも形成されるが、レベリングによって、上スペーサ２０の上の配向膜１１０は薄くなっているので、図２では省略している。図３に示すように、ＴＦＴ基板１００と対向基板２００の間隔は上スペーサ２０と下スペーサ１０によって規定されている。
【００３２】
図４は、上スペーサ２０と下スペーサ１０が重なった状態を、上スペーサ側から見た平面図である。図４において、カラーフィルタ２０１およびブラックマトリクス２０２は上スペーサ２０、下スペーサ１０が存在している位置を示すために描かれている。上スペーサ２０と下スペーサ１０はブラックマトリクス２０１が形成されている部分に形成されている。
【００３３】
上スペーサ２０と下スペーサ１０の長軸は互いに９０度の角度をなしており、図において、斜線を引いてある部分が上スペーサ２０と下スペーサ１０が接触し、ＴＦＴ基板１００と対向電極２００の間隔を規定している部分である。図５は図４に示すスペーサをＢ方向から見た側面図である。図４も図５もＴＦＴ基板１００と対向基板２００のずれが無い場合の状態である。
【００３４】
図６は対向基板２００がＴＦＴ基板１００に対して右方向にｄｖだけずれた場合の上スペーサ２０と下スペーサ１０の位置関係を示す平面図である。図６において、上スペーサ２０は下スペーサ１０の傾斜部にまで、ずれている状態である。下スペーサ１０の傾斜部は右方向に向かって幅が小さくなっているので、この部分では、平坦部に比較して上スペーサ２０と下スペーサ１０の接触する幅が小さくなっている。
【００３５】
図７は図６をＢ方向から見た側面図である。図７において、上スペーサ２０は下スペーサ１０の傾斜部と接触している。傾斜部においては、上スペーサ２０の全面ではなく、上スペーサ２０の平坦部の一部が下スペーサ１０の傾斜部と接触している。したがって、上スペーサ２０と下スペーサ１０がずれた状態では、図６のハッチングで示した部分のみが上スペーサ２０と下スペーサ１０が接触している部分である。
【００３６】
図８は、従来例における上スペーサ２０と下スペーサ１０が重なって、ＴＦＴ基板１００と対向基板２００の間隔を規定している状態を示す平面図である。図８はＴＦＴ基板１００と対向基板２００の位置ずれがない状態である。図８において、上スペーサ２０と下スペーサ１０が接触している部分をハッチングで示している。
【００３７】
図９は図８をＢ方向から見た側面図である。図９において、上スペーサ２０と下スペーサ１０は各々、断面が台形をなしている。しかし、図９の台形は、本発明を示す下スペーサ１０あるいは上スペーサ２０とは異なり、台形の斜線の勾配は急である。すなわち、従来例は、台形の斜面を使用しようとする思想は無い。つまり、上スペーサ２０が下スペーサ２０の台形の断面の上底よりずれると上スペーサ２０は下スペーサ１０から落下する。したがって、従来例では、台形の斜面は、可能であればできるだけ急であるのがよく、斜面が９０となって、スペーサの断面が矩形となるのが、スペースファクタに最もよい。
【００３８】
図１０は従来例において、対向基板２００がＴＦＴ基板１００に対して右方向にｄｖだけずれた場合の上スペーサ２０と下スペーサ１０の状態を示す平面図である。図１０において、上スペーサ２０と下スペーサ１０の接触部はハッチングで示している。図１１は図１０をＢ方向から見た側面図である。図１０および図１１に示すように、従来例では、対向基板２００がＴＦＴ基板１００に対してずれた場合も、上スペーサ２０と下スペーサ１０の接触面積は同じである。
【００３９】
液晶表示装置に対して対向基板２００に外部から指等によって機械的圧力が加わると対向基板２００がＴＦＴ基板１００に対してずれるが、同時に上スペーサ２０が下スペーサ１０に対してずれる。外力が解除されるとＴＦＴ基板１００と対向基板２００は元のずれていない状態にもどろうとする。これをこの明細書では復元力と呼ぶ。しかし、上スペーサ２０と下スペーサ１０が接触していることによって、スペーサ同士の摩擦力が、この復元力に対する抵抗となる。
【００４０】
結局、対向基板２００に対する外力が取り去られても、ＴＦＴ基板と対向基板のずれは完全にはゼロにならず、復元力とスペーサ同士の摩擦力（以後単に摩擦力という）のバランスしたずれ量に落ち着く。このずれ量が混色を起こさない程度であれば問題はない。
摩擦力は、スペーサの接触面積が大きくなると増大すると考えられる。図１２は従来例におけるＴＦＴ基板１００と対向基板２００がずれたことに対する復元力とスペーサ間の摩擦力の関係を示すグラフである。図１２において、横軸はＴＦＴ基板１００と対向基板２００のずれ量であり、縦軸は復元力あるいは摩擦力である。
【００４１】
図１２に示すように、復元力はＴＦＴ基板１００と対向基板２００のずれ量に比例する。これを図１２の実線Ａで示す。一方、スペーサ間の摩擦力は図１２の点線Ｂで示すように一定である。すなわち、従来例では、図８および図１０に示すように、上スペーサ２０と下スペーサ１０がずれても上スペーサ２０と下スペーサ１０の接触面積は一定なので、摩擦力は一定であると考えることができる。
【００４２】
ＴＦＴ基板１００と対向基板２００のずれ量は、結局、復元力と摩擦力のバランスしたずれ量ΔＸｍａｘになる。つまり、図１２において、ΔＸｍａｘは実線Ａと点線Ｂの交差点の位置が残留ずれ量である。
【００４３】
図１３は、本発明における復元力と摩擦力の関係を示すグラフである。図１３の横軸はＴＦＴ基板１００と対向基板２００のずれ量、縦軸は復元力または摩擦力である。図１３において、実線Ａは復元力を示す。復元力は、従来例と同様、ＴＦＴ基板１００と対向基板２００のずれ量に比例する。
【００４４】
一方、点線で示す摩擦力は、ずれ量がある値までは一定で、ある量を超えるとずれ量が大きくなるにしたがって小さくなる。これは、図６および図７に示すように上スペーサ２０が下スペーサ１０の平たん部を過ぎてずれると、ずれ量の増大とともに、接触面積が小さくなるので、摩擦力も小さくなるからである。
【００４５】
図１３において、復元力と摩擦力がバランスする位置がΔＸｍａｘである。すなわち、図１３における直線Ａと点線Ｂとの交点がΔＸｍａｘである。図１２と図１３を比較してわかるように、本発明におけるΔＸｍａｘのほうが従来例におけるΔＸｍａｘよりも小さい。つまり、対向基板に対する外力が除去された後の残留ずれ量は本発明のほうが小さくできる。したがって、本発明では、混色の程度をより小さくすることができる。
【００４６】
図１４は本発明における上スペーサ２０あるいは下スペーサ１０の寸法例である。図１４の上側は平面図、下側は側面図である。図１４において、平たん部の長さｗ１、傾斜部の長さｗ２の比は特に制限はない。本発明の効果はｗ１＜ｗ２であることが望ましい。ｗ１＝ｗ２とした場合は、例えば、ｗ１＝ｗ２＝５μmである。
【００４７】
図１４において、平坦部の幅ｄ１は例えば３μｍ、傾斜部の先端の幅ｄ２は小さいほど良いが、本発明の効果とスペーサの作りやすさを考慮すると、ｄ１／３≦ｄ２＜ｄ１である。
【００４８】
図１４において、スペーサの端部の高さｈ２は平たん部の高さｈ１よりも小さい必要があるが、本発明の効果とスペーサの作りやすさを考慮すると、ｈ１／３≦ｈ２＜ｈ１である。代表的な例は、ｈ２＝ｈ１／２である。
【００４９】
なお、上スペーサ２０と下スペーサ１０の高さは通常は同じでよい。一方、スペーサの作りやすさを考慮すれば上スペーサ２０の高さのほうが下スペーサ１０の高さよりも高いほうが良い。
【００５０】
以上の説明では、上スペーサと下スペーサの形状は同じであるとして説明してきた。しかし、上スペーサと下スペーサの形状は、必要に応じて変えてもよい。
【００５１】
本発明によれば、ＴＦＴ基板と対向基板がずれて、柱状スペーサがずれた後、柱状スペーサが元に戻ろうとする復元力に対して、柱状スペーサの摩擦による抵抗を小さくすることができるので、残留ずれを小さくでき、混色をはじめ、基板間のギャップ変動による表示品質の低下等の問題を抑えることができる。
【符号の説明】
【００５２】
１０…下スペーサ、  ２０…上スペーサ、  ３０…走査線、  ４０…映像信号線、  １００…ＴＦＴ基板、  １０１…ゲート電極、  １０２…ゲート絶縁膜、  １０３…半導体層、  １０４…パッシベーション膜、  １０５…コモン電極、  １０６…層間絶縁膜、  １０７…画素電極、  １０８…ドレイン電極、  １０９…ソース電極、  １１０…配向膜、  １１１…スルーホール、  ２００…対向基板、  ２０１…カラーフィルタ、  ２０２…ブラックマトリクス、  ２０３…オーバーコート膜、  ２０１…カラーフィルタ、  ２００…対向基板、  ２０１…カラーフィルタ、  ３００…液晶層、  １０７１…スリット
【図１】
0006318029.tif 000002
【図２】
0006318029.tif 000003
【図３】
0006318029.tif 000004
【図４】
0006318029.tif 000005
【図５】
0006318029.tif 000006
【図６】
0006318029.tif 000007
【図７】
0006318029.tif 000008
【図８】
0006318029.tif 000009
【図９】
0006318029.tif 000010
【図１０】
0006318029.tif 000011
【図１１】
0006318029.tif 000012
【図１２】
0006318029.tif 000013
【図１３】
0006318029.tif 000014
【図１４】
0006318029.tif 000015